【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  前立腺特異抗原（ＰＳＡ）発現遺伝子配列のエクソンを含むか、又はＰＳＡ発現遺伝子配列の２つのエクソンを連結する結合点に及ぶ、ＰＳＡのターゲット核酸配列に特有の検出アッセイに使用される、少なくとも３つのオリゴヌクレオチドの組み合わせであって：
ＧＡＴＧＣＴＧＴＧＡＡＧＧＴＣＡＴＧＧＡＣＣＴＧ  （ＳＥＱ  ＩＤ  ＮＯ：１５）、  
ＧＴＧＣＧＣＡＡＧＴＴＣＡＣＣＣＴＣＡＧＡＡＧＧ  （ＳＥＱ  ＩＤ  ＮＯ：１６）、
ＧＡＡＧＧＴＣＡＴＧＧＡＣＣＴＧＣＣＣＡＣＣＣＡ  （ＳＥＱ  ＩＤ  ＮＯ：１７）、
ＣＴＧＴＣＡＧＡＧＣＣＴＧＣＣＧＡＧＣＴＣＡＣＧ  （ＳＥＱ  ＩＤ  ＮＯ：１８）、
ＧＣＴＧＣＴＣＣＧＣＣＴＧＴＣＡＧＡＧＣＣＴＧ  （ＳＥＱ  ＩＤ  ＮＯ：１９）、
ＧＣＴＴＧＴＧＧＣＣＴＣＴＣＧＴＧＧＣＡＧ  （ＳＥＱ  ＩＤ  ＮＯ：２０）、
ＴＣＴＣＧＴＧＧＣＡＧＧＧＣＡＧＴＣＴＧＣ  （ＳＥＱ  ＩＤ  ＮＯ：２１）、
ＴＴＣＣＡＡＴＧＡＣＧＴＧＴＧＴＧＣＧＣＡ  （ＳＥＱ  ＩＤ  ＮＯ：２２）、
ＧＧＡＧＧＣＴＧＧＧＡＧＴＧＣＧＡＧＡＡＧＣＡＴ  （ＳＥＱ  ＩＤ  ＮＯ：２３）、
ＧＧＣＴＧＧＧＡＧＴＧＣＧＡＧＡＡＧＣＡＴＴ  （ＳＥＱ  ＩＤ  ＮＯ：２４）、
ＴＧＧＣＣＴＣＴＣＧＴＧＧＣＡＧＧＧＣＡＧＴ  （ＳＥＱ  ＩＤ  ＮＯ：２５）、及び
ＧＣＡＧＴＣＴＧＣＧＧＣＧＧＴＧＴＴＣＴＧ  （ＳＥＱ  ＩＤ  ＮＯ：２６）、又は上記配列と相補的若しくはＲＮＡ均等物からなる群から選択される、第一のＰＳＡ特異配列と特異的にハイブリダイズする、少なくとも１つの第一のオリゴヌクレオチドと；
ＴＡＡＡＴＴＡＡＴＡＣＧＡＣＴＣＡＣＴＡＴＡＧＧＧＡＧＡＣＣＡＧＡＧＧＧＴＧＡＡＣＴＴＧＣＧＣＡＣＡＣＡＣＧ  （ＳＥＱ  ＩＤ  ＮＯ：３０）、
ＴＡＡＡＴＴＡＡＴＡＣＧＡＣＴＣＡＣＴＡＴＡＧＧＧＡＧＡＣＴＧＣＡＣＣＡＣＣＴＴＧＧＴＧＴＡＣＡＧＧ  （ＳＥＱ  ＩＤ  ＮＯ：３１）、
ＴＡＡＡＴＴＡＡＴＡＣＧＡＣＴＣＡＣＴＡＴＡＧＧＧＡＧＡＣＴＣＡＴＧＧＴＴＣＡＣＴＧＣＣＣＣＡＴＧＡＣＧＴＧ  （ＳＥＱ  ＩＤ  ＮＯ：３２）、
ＡＡＴＴＴＡＡＴＡＣＧＡＣＴＣＡＣＴＡＴＡＧＧＧＡＧＡＴＧＣＡＣＣＡＣＣＴＴＧＧＴＧＴＡＣＡＧＧ  （ＳＥＱ  ＩＤ  ＮＯ：３３）、
ＡＡＴＴＴＡＡＴＡＣＧＡＣＴＣＡＣＴＡＴＡＧＧＧＡＧＡＣＡＴＧＧＴＴＣＡＣＴＧＣＣＣＣＡＴＧＡＣＧＴＧ  （ＳＥＱ  ＩＤ  ＮＯ：３４）、
ＡＡＴＴＴＡＡＴＡＣＧＡＣＴＣＡＣＴＡＴＡＧＧＧＡＧＡＧＡＧＧＧＴＧＡＡＣＴＴＧＣＧＣＡＣＡＣＡＣＧ  （ＳＥＱ  ＩＤ  ＮＯ：３５）、
ＴＡＡＡＴＴＡＡＴＡＣＧＡＣＴＣＡＣＴＡＴＡＧＧＧＡＧＡＣＣＡＣＣＴＴＣＴＧＡＧＧＧＴＧＡＡＣＴＴＧＣＧ  （ＳＥＱ  ＩＤ  ＮＯ：３６）、
ＴＡＡＡＴＴＡＡＴＡＣＧＡＣＴＣＡＣＴＡＴＡＧＧＧＡＧＡＧＣＣＧＡＣＣＣＡＧＣＡＡＧＡＴＣＡＣＧＣ  （ＳＥＱ  ＩＤ  ＮＯ：３７）、
ＴＡＡＡＴＴＡＡＴＡＣＧＡＣＴＣＡＣＴＡＴＡＧＧＧＡＧＡＣＴＧＴＧＧＣＴＧＡＣＣＴＧＡＡＡＴＡＣＣ  （ＳＥＱ  ＩＤ  ＮＯ：３８）、
ＴＡＡＡＴＴＡＡＴＡＣＧＡＣＴＣＡＣＴＡＴＡＧＧＧＡＧＡＧＴＧＴＡＣＡＧＧＧＡＡＧＧＣＣＴＴＴＣＧ  （ＳＥＱ  ＩＤ  ＮＯ：３９）、
ＴＡＡＡＴＴＡＡＴＡＣＧＡＣＴＣＡＣＴＡＴＡＧＧＧＡＧＡＡＣＣＣＡＧＣＡＡＧＡＴＣＡＣＧＣＴＴＴＴＧ  （ＳＥＱ  ＩＤ  ＮＯ：４０）、
ＴＡＡＡＴＴＡＡＴＡＣＧＡＣＴＣＡＣＴＡＴＡＧＧＧＡＧＡＡＧＧＣＴＧＴＧＣＣＧＡＣＣＣＡＧＣＡＡＧＡＴ  （ＳＥＱ  ＩＤ  ＮＯ：４１）、
ＴＡＡＡＴＴＡＡＴＡＣＧＡＣＴＣＡＣＴＡＴＡＧＧＧＡＧＡＣＣＴＧＴＧＴＣＴＴＣＡＧＧＡＴＧＡＡＡＣＡＧＧ  （ＳＥＱ  ＩＤ  ＮＯ：４２）、及び
ＴＡＡＡＴＴＡＡＴＡＣＧＡＣＴＣＡＣＴＡＴＡＧＧＧＡＧＡＣＴＧＡＣＣＴＧＡＡＡＴＡＣＣＴＧＧＣＣＴＧＴＧ  （ＳＥＱ  ＩＤ  ＮＯ：４３）、又は上記配列と相補的若しくはＲＮＡ均等物からなる群から選択される、別の、重複しない第二のＰＳＡ特異配列と特異的にハイブリダイズする、プロモーター−プライマーオリゴヌクレオチドである、少なくとも一つの第二のオリゴヌクレオチドと；並びに
ＧＧＡＣＣＡＣＣＴＧＣＴＡＣＧＣＣＴＣＡＧ  （ＳＥＱ  ＩＤ  ＮＯ：１）、
ＧＡＣＣＡＡＧＴＴＣＡＴＧＣＴＧＴＧＴＧＣＴＧ  （ＳＥＱ  ＩＤ  ＮＯ：２）、
ＧＡＣＣＡＡＧＴＴＣＡＴＧＣＴＧＴＧＴＧＣＴＧ  （ＳＥＱ  ＩＤ  ＮＯ：３）、
ＧＣＴＧＴＧＡＡＧＧＴＣＡＴＧＧＡＣＣＴＧＣＣ  （ＳＥＱ  ＩＤ  ＮＯ：４）、
ＧＡＡＣＣＡＧＡＧＧＡＧＴＴＣＴＴＧＡＣＣＣ  （ＳＥＱ  ＩＤ  ＮＯ：５）、
ＧＧＣＣＡＧＡＴＧＧＴＧＣＡＧＣＣＧＧＧＡＧＣ  （ＳＥＱ  ＩＤ  ＮＯ：６）、
ＧＣＡＧＴＣＴＧＣＧＧＣＧＧＴＧＴＴＣＴＧ  （ＳＥＱ  ＩＤ  ＮＯ：７）、
ＡＣＡＧＣＴＧＣＣＣＡＣＴＧＣＡＴＣＡＧＧ  （ＳＥＱ  ＩＤ  ＮＯ：８）、
ＧＴＴＣＡＣＣＣＴＣＡＧＡＡＧＧＴＧＡＣＣ  （ＳＥＱ  ＩＤ  ＮＯ：９）、
ＧＣＴＴＧＴＧＧＣＣＴＣＴＣＧＴＧＧＣＡＧ  （ＳＥＱ  ＩＤ  ＮＯ：１１）、
ＴＧＧＣＣＴＣＴＣＧＴＧＧＣＡＧＧＧＣＡＧＴ  （ＳＥＱ  ＩＤ  ＮＯ：１２）、
ＴＣＴＣＧＴＧＧＣＡＧＧＧＣＡＧＴＣＴＧＣ  （ＳＥＱ  ＩＤ  ＮＯ：１３）、及び
ＧＴＧＣＡＣＣＣＣＣＡＧＴＧＧＧＴＣＣＴＣ  （ＳＥＱ  ＩＤ  ＮＯ：１４）、又は上記配列と相補的若しくはＲＮＡ均等物からなる群から選択される、第三のＰＳＡ特異配列と特異的にハイブリダイズする、少なくとも一つの第三のオリゴヌクレオチドと；
を含んでなる、前記オリゴヌクレオチドの組み合わせ。
【請求項２】  第一のオリゴヌクレオチドがエクソン２、エクソン３若しくはエクソン４に含まれるか、又はエクソン２及び３若しくはエクソン３及び４を連結する結合点に及ぶ、第一のＰＳＡ特異配列と特異的にハイブリダイズするか、及び、第二のオリゴヌクレオチドがエクソン３、エクソン４若しくはエクソン５に含まれるか、又はエクソン３及び４若しくはエクソン４及び５を連結する結合点に及ぶ、第二のＰＳＡ特異配列と特異的にハイブリダイズする、請求項１に記載のオリゴヌクレオチドの組み合わせ。
【請求項３】  第一のオリゴヌクレオチドが、ＳＥＱ  ＩＤ  ＮＯ：１５、ＳＥＱ  ＩＤ  ＮＯ：１６、ＳＥＱ  ＩＤ  ＮＯ：１８、ＳＥＱ  ＩＤ  ＮＯ：２０、ＳＥＱ  ＩＤ  ＮＯ：２１及びＳＥＱ  ＩＤ  ＮＯ：２６、又はそれらの相補的若しくはＲＮＡ均等物からなる群から選択される配列を含み；
第二のオリゴヌクレオチドが、ＳＥＱ  ＩＤ  ＮＯ：３０、ＳＥＱ  ＩＤ  ＮＯ：３１、ＳＥＱ  ＩＤ  ＮＯ：３２、ＳＥＱ  ＩＤ  ＮＯ：３３、ＳＥＱ  ＩＤ  ＮＯ：３４、ＳＥＱ  ＩＤ  ＮＯ：３５、ＳＥＱ  ＩＤ  ＮＯ：３７、ＳＥＱ  ＩＤ  ＮＯ：３８、ＳＥＱ  ＩＤ  ＮＯ：４０及びＳＥＱ  ＩＤ  ＮＯ：４１、又はそれらの相補的若しくはＲＮＡ同等物からなる群から選択される配列を含み；並びに
第三のオリゴヌクレオチドが、ＳＥＱ  ＩＤ  ＮＯ：１、ＳＥＱ  ＩＤ  ＮＯ：２、ＳＥＱ  ＩＤ  ＮＯ：４、ＳＥＱ  ＩＤ  ＮＯ：５、ＳＥＱ  ＩＤ  ＮＯ：６、ＳＥＱ  ＩＤ  ＮＯ：８及びＳＥＱ  ＩＤ  ＮＯ：１４、又はそれらの相補的若しくはＲＮＡ同等物からなる群から選択される配列を含む、請求項１に記載のオリゴヌクレオチドの組み合わせ。
【請求項４】  第一、第二、及び第三のオリゴヌクレオチドの組み合わせが、以下の配列からなる群から選択される、請求項１〜３のいずれか１項記載のオリゴヌクレオチドの組み合わせ：
ＳＥＱ  ＩＤ  ＮＯ：１５、ＳＥＱ  ＩＤ  ＮＯ：３０及びＳＥＱ  ＩＤ  ＮＯ：１；
ＳＥＱ  ＩＤ  ＮＯ：１７、ＳＥＱ  ＩＤ  ＮＯ：３０及びＳＥＱ  ＩＤ  ＮＯ：１；
ＳＥＱ  ＩＤ  ＮＯ：１８、ＳＥＱ  ＩＤ  ＮＯ：３０及びＳＥＱ  ＩＤ  ＮＯ：１；
ＳＥＱ  ＩＤ  ＮＯ：１８、ＳＥＱ  ＩＤ  ＮＯ：３５及びＳＥＱ  ＩＤ  ＮＯ：１；
ＳＥＱ  ＩＤ  ＮＯ：１８、ＳＥＱ  ＩＤ  ＮＯ：３０及びＳＥＱ  ＩＤ  ＮＯ：４；
ＳＥＱ  ＩＤ  ＮＯ：１８、ＳＥＱ  ＩＤ  ＮＯ：３０及びＳＥＱ  ＩＤ  ＮＯ：５；
ＳＥＱ  ＩＤ  ＮＯ：１８、ＳＥＱ  ＩＤ  ＮＯ：３０及びＳＥＱ  ＩＤ  ＮＯ：６；
ＳＥＱ  ＩＤ  ＮＯ：１６、ＳＥＱ  ＩＤ  ＮＯ：３１及びＳＥＱ  ＩＤ  ＮＯ：２；
ＳＥＱ  ＩＤ  ＮＯ：１６、ＳＥＱ  ＩＤ  ＮＯ：３１及びＳＥＱ  ＩＤ  ＮＯ：３；
ＳＥＱ  ＩＤ  ＮＯ：１６、ＳＥＱ  ＩＤ  ＮＯ：３３及びＳＥＱ  ＩＤ  ＮＯ：２；
ＳＥＱ  ＩＤ  ＮＯ：１６、ＳＥＱ  ＩＤ  ＮＯ：３３及びＳＥＱ  ＩＤ  ＮＯ：３；
ＳＥＱ  ＩＤ  ＮＯ：１６、ＳＥＱ  ＩＤ  ＮＯ：３２及びＳＥＱ  ＩＤ  ＮＯ：２；
ＳＥＱ  ＩＤ  ＮＯ：１６、ＳＥＱ  ＩＤ  ＮＯ：３２及びＳＥＱ  ＩＤ  ＮＯ：３；
ＳＥＱ  ＩＤ  ＮＯ：１６、ＳＥＱ  ＩＤ  ＮＯ：３４及びＳＥＱ  ＩＤ  ＮＯ：２；
ＳＥＱ  ＩＤ  ＮＯ：１６、ＳＥＱ  ＩＤ  ＮＯ：３４及びＳＥＱ  ＩＤ  ＮＯ：３；
ＳＥＱ  ＩＤ  ＮＯ：２０、ＳＥＱ  ＩＤ  ＮＯ：３７及びＳＥＱ  ＩＤ  ＮＯ：８；
ＳＥＱ  ＩＤ  ＮＯ：２０、ＳＥＱ  ＩＤ  ＮＯ：３８及びＳＥＱ  ＩＤ  ＮＯ：８；
ＳＥＱ  ＩＤ  ＮＯ：２１、ＳＥＱ  ＩＤ  ＮＯ：３７及びＳＥＱ  ＩＤ  ＮＯ：８；
ＳＥＱ  ＩＤ  ＮＯ：２１、ＳＥＱ  ＩＤ  ＮＯ：３８及びＳＥＱ  ＩＤ  ＮＯ：８；
ＳＥＱ  ＩＤ  ＮＯ：２１、ＳＥＱ  ＩＤ  ＮＯ：４０及びＳＥＱ  ＩＤ  ＮＯ：１４；
ＳＥＱ  ＩＤ  ＮＯ：２１、ＳＥＱ  ＩＤ  ＮＯ：３７及びＳＥＱ  ＩＤ  ＮＯ：１４；
ＳＥＱ  ＩＤ  ＮＯ：２１、ＳＥＱ  ＩＤ  ＮＯ：４１及びＳＥＱ  ＩＤ  ＮＯ：１４；
ＳＥＱ  ＩＤ  ＮＯ：２１、ＳＥＱ  ＩＤ  ＮＯ：４０及びＳＥＱ  ＩＤ  ＮＯ：８；
ＳＥＱ  ＩＤ  ＮＯ：２１、ＳＥＱ  ＩＤ  ＮＯ：４１及びＳＥＱ  ＩＤ  ＮＯ：８；
ＳＥＱ  ＩＤ  ＮＯ：２６、ＳＥＱ  ＩＤ  ＮＯ：３７及びＳＥＱ  ＩＤ  ＮＯ：８；
ＳＥＱ  ＩＤ  ＮＯ：２６、ＳＥＱ  ＩＤ  ＮＯ：４０及びＳＥＱ  ＩＤ  ＮＯ：８；及び
ＳＥＱ  ＩＤ  ＮＯ：２６、ＳＥＱ  ＩＤ  ＮＯ：４１及びＳＥＱ  ＩＤ  ＮＯ：８。
【請求項５】  組み合わせが少なくとも１つのヘルパーオリゴヌクレオチドをさらに含む、請求項１〜４のいずれか１項記載のオリゴヌクレオチドの組み合わせ。
【請求項６】  組み合わせが、
ＧＴＧＣＡＣＣＣＣＣＡＧＴＧＧＧＴＣＣＴＣ  （ＳＥＱ  ＩＤ  ＮＯ：２７）  又は
ＡＡＣＡＡＡＡＧＣＧＴＧＡＴＣＴＴＧＣＴＧＧＧ  （ＳＥＱ  ＩＤ  ＮＯ：２８）の配列か、又はＳＥＱ  ＩＤ  ＮＯ：２７及びＳＥＱ  ＩＤ  ＮＯ：２８のオリゴヌクレオチドの組み合わせを有する少なくとも１つのヘルパーオリゴヌクレオチドをさらに含む、請求項１〜５のいずれか１項記載のオリゴヌクレオチドの組み合わせ。
【請求項７】  組み合わせが、前立腺特異膜抗原（ＰＳＭＡ）と特異的にハイブリダイズするオリゴヌクレオチドをさらに含み、第一オリゴヌクレオチドがＣＡＧＡＴＡＴＧＴＣＡＴＴＣＴＧＧＧＡＧＧＴＣ  （ＳＥＱ  ＩＤ  ＮＯ：４８）であり、第２オリゴヌクレオチドがＴＡＡＡＴＴＡＡＴＡＣＧＡＣＴＣＡＣＴＡＴＡＧＧＧＡＧＡＣＣＡＡＡＴＴＣＴＴＣＴＧＣＡＴＣＣＣＡＧＣＴＴＧＣ  （ＳＥＱ  ＩＤ  ＮＯ：４９）であり、及び、第３オリゴヌクレオチドが、ＣＴＣＡＧＡＧＴＧＧＡＧＣＡＧＣＴＧＴＴＧＴＴＣ  （ＳＥＱ  ＩＤ  ＮＯ：５０）である、請求項１〜６のいずれか１項記載の方法。
【請求項８】  組み合わせが、ヒトカリクレイン２（ｈＫ２）核酸配列と特異的にハイブリダイズするオリゴヌクレオチドをさらに含み、第一オリゴヌクレオチドがＧＴＣＡＧＡＧＣＣＴＧＣＣＡＡＧＡＴＣＡＣＡＧ  （ＳＥＱ  ＩＤ  ＮＯ：４６）であり、及び、第２オリゴヌクレオチドがＴＡＡＡＴＴＡＡＴＡＣＧＡＣＴＣＡＣＴＡＴＡＧＧＧＡＧＡＣＣＡＣＣＡＧＣＡＣＡＣＡＡＣＡＴＧＡＡＣＴＣＴＧＴＣ  （ＳＥＱ  ＩＤ  ＮＯ：４７）である、請求項１〜６のいずれか１項記載の方法。
【請求項９】  核酸を含有する生物学的サンプルにおいて前立腺関連ターゲット核酸を検出する方法であって、
前立腺特異抗原（ＰＳＡ）、前立腺特異膜抗原（ＰＳＭＡ）又はヒトカリクレイン２（ｈＫ２）をコードする、少なくとも１つの発現遺伝子配列を含むターゲット核酸を含有する核酸サンプルを提供すること；
同一のターゲット核酸又はその相補体の配列とハイブリダイズする、少なくとも２つのプライマーオリゴヌクレオチドを前記ターゲット核酸とハイブリダイズさせることであり、ここで、前記プライマーオリゴヌクレオチドは、請求項１〜４、７及び８のいずれか１項記載の第一オリゴヌクレオチド及び請求項１〜４、７及び８のいずれか１項記載の第二オリゴヌクレオチドを含み；
少なくとも１つのポリメラーゼ活性及び前記プライマーオリゴヌクレオチドを用いて、ターゲット核酸の複数の増幅産物を提供すること；及び
少なくとも１つの増幅産物と特異的にハイブリダイズしたプローブオリゴヌクレオチドから生じるシグナルを検出することであり、ここで、検出プローブは、請求項１、３、４、７及び８のいずれか１項記載の第三オリゴヌクレオチドであり、それにより、サンプル中のターゲット核酸の存在が示される：
工程を含んでなる、前記方法。
【請求項１０】  ターゲット核酸がＰＳＡ・ｍＲＮＡであり；
ハイブリダイズさせる工程が、請求項１〜４のいずれか１項記載の少なくとも１つの第一オリゴヌクレオチド及び請求項１〜４のいずれか１項記載の少なくとも１つの第二オリゴヌクレオチドを含むプライマーオリゴヌクレオチドを用い、並びに、検出する工程が、請求項１、３及び４のいずれか１項記載の第三オリゴヌクレオチドであるプローブオリゴヌクレオチドを用いる、請求項９に記載の方法。
【請求項１１】  ターゲット核酸がＰＳＡ・ｍＲＮＡであり；
ハイブリダイズさせる工程が、ＳＥＱ  ＩＤ  ＮＯ：４８及びＳＥＱ  ＩＤ  ＮＯ：４９のプライマーオリゴヌクレオチドを用い、並びに、検出する工程が、ＳＥＱ  ＩＤ  ＮＯ：５０のプローブオリゴヌクレオチドを用いる、請求項９に記載の方法。
【請求項１２】  ターゲット核酸がｈＫ２・ｍＲＮＡであり；
ハイブリダイズさせる工程が、ＳＥＱ  ＩＤ  ＮＯ：４６のプライマーオリゴヌクレオチドを用い、並びに、検出する工程が、ＳＥＱ  ＩＤ  ＮＯ：４７のプロモータープライマーを用いる、請求項９に記載の方法。
【請求項１３】  ハイブリダイズさせる工程が、ＳＥＱ  ＩＤ  ＮＯ：１５〜ＳＥＱ  ＩＤ  ＮＯ：２６、ＳＥＱ  ＩＤ  ＮＯ：４６及びＳＥＱ  ＩＤ  ＮＯ：４８からなる群から選択されるプライマーオリゴヌクレオチドか、又は、ＳＥＱ  ＩＤ  ＮＯ：３０〜ＳＥＱ  ＩＤ  ＮＯ：４３、ＳＥＱ  ＩＤ  ＮＯ：４７及びＳＥＱ  ＩＤ  ＮＯ：４８からなる群から選択されるターゲット結合配列を用いる、請求項９〜１２のいずれか１項記載の方法。
【請求項１４】  ＰＳＡをコードする発現遺伝子配列及びＰＳＭＡ又はｈＫ２をコードする少なくとも１つの発現遺伝子配列についてアッセイすることを含む、請求項９〜１２のいずれか１項記載の方法。